(57)【特許請求の範囲】
【請求項１】
上面視において円状の天板を有する他のテーブルと組み合わせて用いられるテーブルであって、
上面視において略矩形状に形成され、上面に物品が載せられる天板と、
該天板の下面側から前記天板を支持する支持部と、
前記天板における外縁の少なくとも一部には、前記円状の天板における外縁と、前記円状の天板と周方向にわたって接触する形状に形成された接触部と、が設けられ、
前記天板の上面における一の辺の近傍には、前記物品を固定する固定部が設けられ、
前記一の辺に隣接する一対の辺である側辺は、前記一の辺側に向かって互いの距離が近くなるように配置され、
前記接触部は、少なくとも、前記側辺を前記天板の中心に向かって凸状に湾曲させて形成されていることを特徴とするテーブル。
【請求項２】
前記物品は、表示部であり、
前記支持部には、前記表示部へ画像信号の出力が可能に接続される電子計算機を収納する収納部が設けられていることを特徴とする請求項１記載のテーブル。
【請求項３】
上面に物品が載置される円状の天板が設けられたメインテーブルと、
請求項１または２に記載のテーブルである補助テーブルと、
を有することを特徴とするテーブルシステム。
【発明の詳細な説明】
【技術分野】
【０００１】
本発明は、単体として使用すると共に、他のテーブルと組み合わせても使用することができるテーブルおよびテーブルシステムに関する。
【背景技術】
【０００２】
近年、オフィスにおけるパーソナルコンピュータなどの情報機器の普及に伴い、これら情報機器を用いた情報交換が一般化しつつあり、印刷物を用いた情報交換が行われる頻度が低下しつつある。複数のメンバーが集まって業務についての情報の共有や検討を行う会議においても、情報をディプレイに表示することによる情報の共有や検討が行われ始めている（例えば、特許文献１参照。）。
【０００３】
例えば、特許文献２では、会議に参加した全てのメンバーが情報の共有や検討を行う場合には、複数のテーブルを集めて一つの大きなテーブルを構成するとともに、メンバーが複数のグループに分かれて情報の共有や検討を行う場合には、一つの大きなテーブルを複数のディスプレイを備えたテーブルに分割し、それぞれ分割されたテーブルにおいて情報の共有や検討を行う方法が記載されている。
【０００４】
例えば、特許文献２では、会議に参加した全てのメンバーが情報の共有や検討を行う場合には、複数のテーブルを集めて一つの大きなテーブルを構成するとともに、メンバーが複数のグループに分かれて情報の共有や検討を行う場合には、一つの大きなテーブルを複数のディスプレイを備えたテーブルに分割し、それぞれ分割されたテーブルにおいて情報の共有や検討を行う方法が記載されている。
【０００５】
また、特許文献３では、円状のコアテーブルと、楕円状のサイドテーブルと、ディスプレイなどが載せられるワゴンとの組合せにより、複数のメンバーが参加する会議にも、メンバー１人の作業にも使用できるテーブルシステムが記載されている。
【先行技術文献】
【特許文献】
【０００６】
【特許文献１】特開２００１−１５４６０５号公報
【特許文献２】特表２００８−５２２６６０号公報
【特許文献３】特開２００３−０２４１５５号公報
【発明の概要】
【発明が解決しようとする課題】
【０００７】
上述のように会議においてディスプレイを用いて情報の共有や検討を行うと、ディスプレイが設置されたテーブルに対して参加メンバーの数が適正な場合には、参加メンバーの全員がディスプレイに表示された情報を無理なく見ることができる。
【０００８】
しかしながら、参加メンバーの数が、テーブルの大きさに対して多すぎると、テーブルをメンバーが二重、三重に取り囲む状態となる。すると、テーブルから離れた位置にいるメンバーは、テーブルに近い位置にいるメンバーに遮られて、ディスプレイに表示された情報を見ることが難しいという問題があった。
【０００９】
本発明は、上記の課題を解決するためになされたものであって、利用する人数の増減に対応することを容易にすることができるテーブルおよびテーブルシステムを提供することを目的とする。
【課題を解決するための手段】
【００１０】
上記目的を達成するために、本発明は、以下の手段を提供する。
本発明のテーブルは、上面視において円状の天板を有する他のテーブルと組み合わせて用いられるテーブルであって、上面に物品（例えば、パーソナルコンピュータ等のような電子計算機に用いられるディスプレイ等の表示部や、キーボードやマウス等の入力部）が載せられる天板と、天板を下方から支持する支持部が設けられたものである。板状に形成された天板における外縁には、円状の天板における外縁と接触する接触部が形成され、接触部は、円状の天板における周方向にわたって接触する形状に形成されている。
【００１１】
接触部の形状は、天板の中心に向かって凸状に湾曲する形状であって、円状の天板の曲率半径と略同じ曲率半径の円弧形状とされている。天板は上面視において略矩形状に形成され、天板の上面における一の辺の近傍には、ディスプレイ等の表示部である物品を固定する固定部が設けられ、接触部は、少なくとも、一の辺に隣接する一対の辺である側辺に形成され、側辺は一の辺側に向かって互いの距離が近くなる辺とされている。
【００１２】
本願に係る天板における接触部を、円状の天板に接触させることにより、円状の天板に本願に係る天板を安定して組み合わせることができる。また、他のテーブルを二重、三重に取り囲む人数での打ち合わせであっても、他のテーブルに本願のテーブルを組合せ、円状の天板から本願に係る天板を突出させるように配置することで、外側に位置する打ち合わせの参加者に、本願に係る天板上に載せられた物品を容易に見せることができる。
【００１３】
このようにすることで、接触部と円状の天板とが接触する面積を容易に増やすことができ、他のテーブルに本願のテーブルを安定して組み合わせることができる。
例えば、テーブルに載せられる物品がディスプレイ等の表示部の場合には、本願のテーブルに設置された表示部の前面と、他のテーブルに設置された表示部の前面とで、形成される内角が、９０°よりも大きく、１８０°よりも小さな所定の鈍角とるように、本願のテーブルを配置することができる。
【００１４】
例えば、テーブルに載せられる物品がディスプレイ等の表示部の場合には、本願のテーブルに設置された表示部の前面と、他のテーブルに設置された表示部の前面とで、形成される内角が、９０°よりも大きく、１８０°よりも小さな所定の鈍角とるように、本願のテーブルを配置することができる。
【００１５】
天板の上面に載置される物品が表示部であって、支持部には、表示部へ画像信号を出力する電子計算機が収納される収納部が設けられていることが望ましい。このようにすることで、作業者は収納部に収納された電子計算機および表示部を用いて作業を行うことができる。言い換えると、本願のテーブルを他のテーブルから切り離して、単体で作業に用いることができる。
【発明の効果】
【００１６】
本発明のテーブルおよびテーブルシステムによれば、板状に形成された天板における外縁に、円状の天板における外縁と接触する接触部を形成し、接触部は円状の天板における周方向にわたって接触する形状に形成されているため、円状の天板を二重、三重に取り囲む人数での打ち合わせであっても、円状の天板に本発明に係る天板を組合せ、円状の天板から本願に係る天板を突出させるように配置することで、外側に位置する打ち合わせの参加者に、本発明に係る天板上に載せられた物品を容易に見せることができる。そのため、本発明のテーブルおよびテーブルシステムを用いることで、利用する人数の増減に対応することを容易にすることができるという効果を奏する。
【図面の簡単な説明】
【００１７】
【図１】本発明の一実施形態に係る補助テーブルの構成を説明する斜め前上方から見た斜視図
【図２】図１の補助テーブルを斜め後ろ上方から見た斜視図である。
【図３】図１の補助テーブルを斜め前下方から見た斜視図である。
【図４】図１の天板の構成を説明する上面視図である。
【図５】図１の補助テーブルに表示部が取り付けられた状態を説明する斜め前上方から見た斜視図である。
【図６】図５の補助テーブルを正面から見た図である。
【図７】図５の補助テーブルを背面から見た図である。
【図８】図５の補助テーブルを右側から見た側面図である。
【図９】図５の補助テーブルを左側から見た側面図である。
【図１０】図１の補助テーブルを含むテーブルシステムにおける一組合せ形態を説明する上面視図である。
【図１１】図１０のテーブルシステムにおける他の組合せ形態を説明する上面視図である。
【発明を実施するための形態】
【００１８】
この発明の一実施形態に係る補助テーブル、および、テーブルシステムについて、図１から図１１を参照して説明する。図１は、本実施形態に係る補助テーブル１の構成を説明する斜め前上方から見た斜視図であり、図２は斜め後ろ上方から見た斜視図であり、図３は、斜め前下方から見た斜視図である。図４は、図１の天板１０の構成を説明する上面視図である。図５は、図１の補助テーブル１に表示部４０が取り付けられた状態を説明する斜め前上方から見た斜視図である。図６は、図５の補助テーブル１を正面から見た図であり、図７は背面から見た図であり、図８は右側から見た側面図であり、図９は左側から見た側面図である。
【００１９】
本実施形態に係る補助テーブル１は、後述するメインテーブル（他のテーブル）１００と組み合わせてテーブルシステムＴＳとして用いられると共に、補助テーブル１のみでも用いられるものである。例えば、メインテーブル１００および補助テーブル１の組合せであるテーブルシステムＴＳは、複数人が参加する打ち合わせに用いられるものであり、補助テーブル１単体では、個人の作業に用いられるものである。
【００２０】
補助テーブル１には、図１から図９に示すように、上面にキーボードＫＢやマウスパッドＭＰやマウス（図示せず）が載せられる天板１０と、天板１０を支持する支柱部（支持部）２０および台部（支持部）３０と、が主に設けられている。
【００２１】
天板１０は、板状に形成された部材であって、その上面が作業スペースとして用いられるものである。天板１０は、図４における下側の縁である前縁、上側の縁である後縁（一の辺）、右側の縁である右縁（側辺）、および、左側の縁である左縁（側辺）に囲まれた略矩形状に形成されたものである。さらに、天板１０には、図１から図４に示すように、メインテーブル１００の円状の天板１１０と接触する接触部１１と、ディスプレイである表示部４０を固定する固定部１２と、が設けられている。
【００２２】
天板１０における前縁は、天板１０の中心から遠ざかる方向（図４の下方向）に向かって湾曲した円弧状に形成された部分である。補助テーブル１を用いて作業を行う人は、主に、天板１０の前縁側に、天板１０に向かって座る。
【００２３】
後縁、右縁および左縁は、接触部１１が形成される部分であって、天板１０の中心に向かって湾曲した円弧状に形成された部分である。つまり、後縁に形成された接触部１１は、図４の下方向に向かって湾曲した円弧状に形成され、右縁に形成された接触部１１は、図４の左方向に向かって湾曲した円弧状に形成され、左縁に形成された接触部１１は、図４の右方向に向かって湾曲した円弧状に形成されている。接触部１１を構成する円弧は、後述するメインテーブル１００における円状の天板１１０における曲率半径と略同じ曲率半径を有するものである。
【００２４】
天板１０は、図４に示すように、右縁における接触部１１の前縁側端部と、後縁側端部とを結んだ直線ＲＴと、左縁における接触部１１の前縁側端部と、後縁側端部とを結んだ直線ＬＴとが、前縁から後縁に向かう（図４の下から上に向かう）に伴い間隔が狭くなるように形成されている。
【００２５】
さらには、天板１０は、上述の直線ＲＴと、直線ＬＴと、後縁における接触部１１の右縁側端部と左縁側端部とを結んだ直線ＲＲと、前縁における右側端部と左側端部とを結んだ直線ＦＴとが、略台形を構成するように形成されている。
【００２６】
なお、本実施形態では、後縁、右縁および左縁が円弧状に形成されて、円状の天板１１０と連続して接触する例に適用して説明したが、連続して接触しなくても、例えば、多角形状に形成されて、円状の天板１１０と離散的に（例えば２ヶ所で）接触してもよく、特に限定するものではない。
【００２７】
固定部１２は、図１から図４に示すように、天板１０の上面における後縁の近傍に配置されたものであり、略直方体状に形成されたものである。
固定部１２の上面には、図１、図２、図４に示すように、表示部４０の取り付けに用いられる取付部１３が設けられている。取付部１３は、固定部１２の上面に、前縁側から後縁に向かって凹んで切欠き状に形成されたものである。
【００２８】
固定部１２の左側面には、図３および図８に示すように、複数の接続端子１４が設けられている。複数の接続端子１４は、主に、補助テーブル１をメインテーブル１００と組み合わせて用いる際に用いられるものであり、表示部４０に表示させる画像信号を外部、例えばメインテーブル１００に収納された電子計算機器から入力させるために用いられるものである。複数の接続端子１４のそれぞれは、互いに異なる規格の端子である。
【００２９】
固定部１２における後側の下端には、図１、図８および図９に示すように、天板１０の右縁から左縁（図１の右斜め下から左斜め上）にわたって、天板１０と固定部１２との間に配置された直方体状の介在部１５が設けられている。介在部１５を設けることにより、天板１０と固定部１２との間には、天板１０の前縁に向かって開口する凹みが形成され、当該凹みにキーボードＫＢの少なくとも一部を収納することができる。
【００３０】
固定部１２の上面には、図１、図２および図４に示すように、一対の円柱状の上部巻付け部１６が設けられている。上部巻付け部１６はケーブルが巻きつけられるものであり、例えば、上述の接続端子１４に差し込まれるケーブルを保管する際に用いられるものである。上部巻付け部１６は、固定部１２の上面から上方に向かって突出する円柱状の部材であり、固定部１２における右縁（図４の右側）の端部近傍、および、左縁（図４の左側）の端部近傍にそれぞれ配置されている。
【００３１】
支柱部２０は、図６から図９に示すように、略四角筒状に形成されたものであって、上端が天板１０の下面における後縁側に取り付けられ、下端が台部３０の上面に取り付けられたものである。四角筒状に形成された支柱部２０の内部には、電源ケーブルなどの各種ケーブルが収納可能とされている。
【００３２】
より具体的には、支柱部２０は、断面視において略コの字状に形成された支柱本体２１と、支柱本体２１の開口を塞ぐ蓋部２２と、から主に構成されている。支柱本体２１は、開口が天板１０の前縁に向かって開くように配置されている。また、支柱本体２１の開口を蓋部２２で塞ぐことにより、略四角筒状の支柱部２０が構成されている。蓋部２２は、支柱本体２１に対して取り付け、取り外しが可能に、螺子などの締結部材を用いて取り付けられている。
【００３３】
支柱本体２１には、図８および図９に示すように、内部に配置されたケーブルの引き出しに用いられる引出部２３が設けられている。引出部２３は、支柱本体２１の側壁に形成された溝であり、支柱本体２１の開口と連通して形成されている。引出部２３は、支柱本体２１の開口から水平方向に延び、その後、下方に向かって折れ曲がる略Ｌ字状に形成されたものである。引出部２３に挿通されたケーブルは、重力によって、引出部２３における下方に折れ曲がった部分に配置される。
【００３４】
そのため、支柱本体２１から蓋部２２を取り外し、引出部２３の端部が開口した状態となっても、引出部２３に挿通されたケーブルは、重力にさからって引出部２３の端部から飛び出すことがない。また、引出部２３を略Ｌ字状に形成することにより、引出部２３の下方に折れ曲がった部分が、支柱本体２１の開口と略平行に延びて形成される。そのため、引出部２３と支柱本体２１の開口とつながる部分において、引出部２３の下方に折れ曲がった部分と支柱本体２１の開口との間の幅を確保することができ、支柱本体２１を構成する板状部材の強度を確保しやすくなる。
【００３５】
さらに、支柱部２０には、図７から図９に示すように、パーソナルコンピュータなどの電子計算機器が収納される上部収納部（収納部）２４と、電子計算機器に繋がれる電源プラグやＡＣ−ＤＣアダプタ等の電源装置などが収納される下部収納部２５と、電子計算機などの電源プラグが差し込まれる電源コンセント２６と、が設けられている。
【００３６】
上部収納部２４および下部収納部２５は、支柱部２０における後縁側（図８における左側）の面に配置された、断面視においてＵ字状に形成されたラック状のものである。上部収納部２４および下部収納部２５における支柱部２０から離れた側（図８における左側）の壁部は、上方に向かって支柱部２０から離れる方向に傾斜して形成されている。そのため、上部収納部２４および下部収納部２５は、上方に向かって開口が開く形状とされ、内部に電子計算機などが収納しやすくされている。
【００３７】
また、図５に示すように、上部収納部２４および下部収納部２５は、天板１０における右縁側および左縁側（図５の右斜め下側および左斜め上側）にも開口して形成されている。このようにすることで、上部収納部２４や、下部収納部２５よりも大きなものであっても、左右の開口から飛び出させることで、上部収納部２４や、下部収納部２５で保持することができる。
【００３８】
上部収納部２４は、下部収納部２５よりも上方であって、引出部２３の近傍に配置されたものである。上部収納部２４における支柱部２０側の壁部には、ケーブルを巻きつける下部巻付け部２７が形成されている。
【００３９】
下部巻付け部２７は、図８および図９に示すように、側面視において、上部収納部２４の壁面からＬ字状に突出する一対の板部材から形成されたものである。また、下部巻付け部２７は、図６に示すように、左右方向に４つ並んで形成されている。下部巻付け部２７には、例えば、上部収納部２４に収納された電子計算機器に繋がれるケーブルなどが巻きつけられる。
【００４０】
下部収納部２５は、図６から図９に示すように、上部収納部２４よりも下方であって、電源コンセント２６の近傍に配置されたものである。下部収納部２５は、上部収納部２４と比較して小型に形成されている。
【００４１】
電源コンセント２６は、支柱部２０の下方に設けられたコンセントであり、主に、上部収納部２４に収納された電子計算機器に電力を供給するものである。本実施形態では、支柱部２０の側面下方に、それぞれ２つ、合計４つ設けられた例に適用して説明する。
【００４２】
台部３０は、図６から図９に示すように、略直方体状に形成されたものであって、上面に支柱部２０の下端が取り付けられたものである。台部３０における左右方向（図６の左右方向）の幅は、天板１０の左右方向の幅よりも狭く形成され、前後方向（図８の左右方向）の長さも、天板１０の左右方向の長さよりも短く形成されている。このようにすることで、補助テーブル１を用いて作業する際に、作業者の足元の空間を確保できる。さらに、補助テーブル１をメインテーブル１００に組み合わせた際に、台部３０とメインテーブル１００の脚とが干渉することを防止できる。
【００４３】
また、台部３０の上面は取り付け、取り外しが可能な蓋であり、台部３０の内部には空間が形成されている。当該空間には、ＡＣ−ＤＣアダプタ等の電源装置や、補助テーブル１の姿勢を安定させる錘等が収納されている。
【００４４】
台部３０には、補助テーブル１の移動に用いられるキャスタ３１と、外部の電源コンセント（図示せず）に差し込まれる差込プラグ３２が設けられている。キャスタ３１は、台部３０における下面の四隅に設けられるとともに、キャスタ３１の車輪が台部３０との取付部を中心に旋回可能とされたものである。差込プラグ３２は、台部３０の後端（図８の左端）中央から延びるものであり、支柱部２０に設けられた電源コンセント２６と電気的に接続されたものである。
【００４５】
図１０は、本実施形態に係るテーブルシステムＴＳにおける一組合せ形態を説明する上面視図である。図１１は、他の組合せ形態を説明する上面視図である。
メインテーブル１００は、図１０および図１１に示すように、略円状に形成された天板（円状の天板）１１０と、天板１１０の上面に配置されディスプレイ等の表示部１４０を保持する保持部１１２と、が主に設けられている。
【００４６】
本実施形態では、天板１１０に折線部１１１が設けられ、天板１１０の一部１１０Ｐが、下方に折れ曲がる例に適用して説明する。保持部１１２は、天板１１０の上面における略中央に配置され、表示部４０を約１２０°間隔で、表示部１４０の表示面を天板１１０の外方向に向けて保持するものである。さらに、保持部１１２には、補助テーブル１に取り付けられた表示部４０に表示させる画像の画像情報を出力する複数の出力端子（図示せず）が設けられている。
【００４７】
なお、メインテーブル１００には、情報処理機器を収納する収納部（図示せず）が設けられ、当該情報処理機器から出力された画像信号は、メインテーブル１００の表示部１４０に表示される他、ケーブルを介して接続された補助テーブル１の表示部４０にも表示させることができる。
【００４８】
次に、上記の構成からなる補助テーブル１の使用方法、および、テーブルシステムＴＳの使用方法について説明する。
本実施形態の補助テーブル１を単体として用いる場合には、図５から図９に示すように、固定部１２に表示部４０が固定され、上部収納部２４には電子計算機器が収納され、下部収納部２５には上部収納部２４に収納された電子計算機器の電源装置および電源プラグ（図示せず。）が収納される。そして、表示部４０と上部収納部２４に収納された電子計算機器とは、画像信号を伝えるケーブルによって接続され、電子計算機器の電源プラグは電源コンセント２６に接続される。
【００４９】
作業者は、天板１０の上に載せられたキーボードＫＢと、マウスパッドＭＰの上に置かれたマウス（図示せず。）を用いて電子計算機器を操作して作業を行う。また、キーボードＫＢを固定部１２と天板１０の間の隙間に押し込むことで形成された天板１０のスペースで作業を行うこともできる。
【００５０】
次に、テーブルシステムＴＳとしての使用方法について図１０および図１１を参照しながら説明する。
まず、図１０に示すように、天板１０の後縁に形成された接触部１１が、メインテーブル１００の天板１１０に付けられた場合のテーブルシステムＴＳについて説明する。この場合、補助テーブル１の表示部４０は、メインテーブル１００に対して反対方向、言い換えると径方向の外側に向かって配置されることになる。
【００５１】
メインテーブル１００に対して参加者の人数が多い場合、例えば、メインテーブル１００を二重、三重に参加者が囲むと、外周側に位置する参加者は、内周側に位置する参加者によってメインテーブル１００の表示部１４０への視線が遮られ、表示部１４０に表示された画像を見ることが難しくなる。
【００５２】
その一方で、メインテーブル１００と組み合わされた補助テーブル１の表示部４０は、メインテーブル１００の表示部１４０と比較して、径方向外側に突出した位置に配置されている。言い換えると、外周側に位置する参加者と、補助テーブル１の表示部４０までの距離は、メインテーブル１００の表示部１４０までの距離よりも近くなる。その結果、外周側に位置する参加者は、内周側に位置する参加者によって補助テーブル１の表示部４０への視線が遮られにくくなり、表示部４０に表示された画像を見やすくなる。
【００５３】
次に、図１１に示すように、天板１０の右縁に形成された接触部１１が、メインテーブル１００の天板１１０に付けられた場合のテーブルシステムＴＳについて説明する。この場合、補助テーブル１の表示部４０は、メインテーブル１００の表示部１４０に対して前面が９０°よりも大きく、かつ、１８０°よりも小さい所定の鈍角αをなしている。本実施形態では、所定の鈍角αが１５０°程度である例に適用して説明する。
【００５４】
この場合、一人の作業者が、補助テーブル１の表示部４０と、メインテーブル１００の表示部１４０と、を同時に用いながら作業を行うことができる。作業を行う場合、表示部４０の前面と表示部１４０の前面とが約９０°をなして配置されていると、作業者は表示部４０と表示部１４０とを同時に視界に納めることが難しく、首を回すことにより、表示部４０から表示部１４０へ、または、表示部１４０から表示部４０へ視線を移すことができない。また、表示部４０の前面と表示部１４０の前面とが約１８０°をなして配置、つまり、直線上に配置されていると、作業者と表示部４０までの距離、および、作業者と表示部１４０までの距離が長くなり、作業者が表示部４０および表示部１４０に表示された内容を視認しにくくなる。
【００５５】
これらに対して、本実施形態のように表示部４０および表示部１４０を所定の鈍角αをなして配置することにより、表示部４０および表示部１４０を視野に納めやすくなり、かつ、作業者から表示部４０および表示部１４０までの距離を短くすることができ、作業者は表示部４０および表示部１４０に表示された内容を視認しやすくなる。
【００５６】
また、メインテーブル１００のみで作業する場合や、補助テーブル１のみで作業をする場合と比較して、メインテーブル１００の天板１１０の上のスペースや、補助テーブル１の天板１０の上のスペースを作業に用いることができるため、作業スペースが広がり、作業を行いやすくなる。
【符号の説明】
【００５７】
１…補助テーブル、１０…天板、１１…接触部、１２…固定部、２０…支柱部（支持部）、２４…上部収納部（収納部）、３０…台部（支持部）、１００…メインテーブル（他のテーブル）、１１０…天板（円状の天板）、ＴＳ…テーブルシステム
【図１】
0005373947.tif 000002
【図２】
0005373947.tif 000003
【図３】
0005373947.tif 000004
【図４】
0005373947.tif 000005
【図５】
0005373947.tif 000006
【図６】
0005373947.tif 000007
【図７】
0005373947.tif 000008
【図８】
0005373947.tif 000009
【図９】
0005373947.tif 000010
【図１０】
0005373947.tif 000011
【図１１】
0005373947.tif 000012